(57)【要約】【課題】木材１の長さ方向中間部のみに不足しない量の薬剤を含浸させ、含浸に必要な切り込みの数を少なくし、めくれや反りの発生、強度の低下、劣化等を防ぐ。【解決手段】木材１の長さ方向中間部に、両端部よりも薬剤の含浸量が相対的に少ない薬剤含浸量低下部３が形成され、その表面に、木材１の繊維方向に直交する方向に延びて繊維を部分的に切断した凹陥溝状の複数の繊維切断部５が、木材１を長さ方向から見たときに繊維切断部５のない部分が生じないように形成されている。薬剤含浸層１０は、木材１の長さ方向両端部から含浸された薬剤により形成されかつ木材１の長さ方向両端部近くに位置する端部含浸層１１と、繊維切断部５を始点として木材１の長さ方向両側に繊維方向に沿って含浸された薬剤により形成され、繊維切断部５から木材１の繊維方向に沿って薬剤含浸量低下部３の表面側全体に広がる切断部含浸層１２とを有する。【選択図】図１
2017080965.tif 000002
【特許請求の範囲】
【請求項１】
繊維が長さ方向に沿って延びるように配置されかつ薬剤の含浸により形成された薬剤含浸層を有するインサイジング処理木材であって、
木材の長さ方向中間部には、薬剤が長さ方向両端部のみから含浸された場合に該長さ方向両端部よりも薬剤の含浸量が相対的に少ない薬剤含浸量低下部が形成されており、
上記薬剤含浸量低下部の少なくとも片面には、少なくとも木材の幅方向両端部近傍を除く範囲の全体に亘り、木材の幅よりも短い長さを有しかつ木材の繊維方向に交差する方向に延びて繊維を部分的に切断した凹陥溝状の複数の繊維切断部が、木材を長さ方向から見たときに該繊維切断部のない部分が生じないように形成され、
上記薬剤含浸層は、木材の長さ方向両端部から含浸された薬剤により形成されかつ木材の長さ方向両端部近くに位置する端部含浸層と、上記各繊維切断部を始点として木材の長さ方向両側に繊維方向に沿って含浸された薬剤により形成され、各繊維切断部から木材の繊維方向に沿って薬剤含浸量低下部の少なくとも片面側全体に広がる切断部含浸層とを有することを特徴とするインサイジング処理木材。
【請求項２】
請求項１において、
複数の繊維切断部は、木材の幅方向全体に亘って形成されていることを特徴とするインサイジング処理木材。
【請求項３】
請求項１又は２において、
木材は板材であり、板材の表面又は表裏面に複数の繊維切断部が形成されていることを特徴とするインサイジング処理木材。
【請求項４】
請求項１又は２において、
木材は角材であり、角材の四周表面に複数の繊維切断部が形成されていることを特徴とするインサイジング処理木材。
【請求項５】
請求項１〜４のいずれか１つにおいて、
薬剤は難燃薬剤であり、薬剤含浸量低下部は、不燃材の長さ当たりの量の足りない部分であることを特徴とするインサイジング処理木材。
【請求項６】
請求項１〜４のいずれか１つにおいて、
薬剤は防腐・防蟻薬剤であることを特徴とするインサイジング処理木材。
【請求項７】
請求項１〜４のいずれか１つにおいて、
薬剤は樹脂液であることを特徴とするインサイジング処理木材。
【請求項８】
請求項１〜７のいずれか１つのインサイジング処理木材の繊維切断部を形成するためのインサイジング処理加工装置であって、
昇降可能な昇降フレームと、
上記昇降フレームに回転可能に支持された少なくとも１つの回転軸と、
上記回転軸に回転一体に固定された少なくとも１つのチップソーと、
上記回転軸に駆動連結され、上記チップソーを回転させる駆動部と、
上記昇降フレームを昇降させる昇降装置とを備え、
上記昇降装置により昇降フレームが下降したときに、駆動部により回転するチップソーにより木材に繊維切断部を形成するように構成されていることを特徴とするインサイジング処理加工装置。
【請求項９】
請求項８において、
昇降フレームに複数の回転軸が互いに平行に配置されて支持され、
上記各回転軸に複数のチップソーが互いに間隔を空けた状態で回転一体に固定されており、
隣り合う回転軸のチップソーが上方から見た平面視で千鳥配列に配置されていることを特徴とするインサイジング処理加工装置。
【請求項１０】
請求項１〜７のいずれか１つのインサイジング処理木材を得るためのインサイジング処理方法であって、
木材の長さ方向中間部における薬剤含浸量低下部の少なくとも片面に、木材の繊維方向に交差する方向に延びる凹陥溝状の複数の繊維切断部を、木材を長さ方向から見たときに繊維切断部のない部分が生じないように形成し、
次いで、薬剤を長さ方向両端部から含浸させて端部含浸層を形成するとともに、薬剤を、上記繊維切断部を始点として木材の長さ方向両側に繊維方向に沿って含浸させて切断部含浸層を形成することを特徴とするインサイジング処理方法。
【発明の詳細な説明】
【技術分野】
【０００１】
本発明は、薬剤の含浸により形成された薬剤含浸層を有するインサイジング処理木材、その処理装置及びインサイジング処理方法に関する。
【背景技術】
【０００２】
木材の内部に難燃薬剤や防腐・防蟻薬剤を含浸させて木材の難燃性や防腐・防蟻性能を高めることは一般によく知られている。そして、木材は通常、繊維が長さ方向に沿って延びるように配置されており、この木材に対し、予め減圧状態にしてから薬剤をしみ込ませた後、さらに加圧することで薬剤を注入する減圧加圧含浸法等により薬剤を含浸させたとき、薬剤は木材の長さ方向端部の木口面から含浸し易いので、長さ方向の両端部で含浸量が十分となるが、長さ方向の中間部では含浸量が不足し、含浸量の分布むらが生じる（図８〜図１０参照）。例えば、難燃薬剤を木材に注入して不燃材の認定を得るためには、難燃薬剤が固形分で３００ｋｇ／ｍ３以上必要であるが、木材の長さ方向中間部では含浸量が３００ｋｇ／ｍ３未満となる部分が生じる。尚、このような薬剤の含浸量の分布のむらは木材の薬剤の種類や減圧加圧の圧力によって異なり、長時間に亘って含浸させれば、長さ方向の中間部にも端部から十分に含浸するが、長時間を要することで効率が悪くなり、実用性に乏しい。
【０００３】
そのため、従来、例えば特許文献１や特許文献２に示されているように、外周面に多数の刃が周方向に所定の間隔を空けて突設されているインサイジング刃物を回転させて木材の表面に押し付けることにより、その刃によって木材の表面に長さ方向の全体に亘り多数の切り込みを形成し、薬剤を木材の長さ方向端部からだけでなく、表面の切り込みからも含浸させて長さ方向中間部の薬剤含浸量を満たすようにすることが提案されている。
【先行技術文献】
【特許文献】
【０００４】
【特許文献１】特許第４１１２７２１号公報
【特許文献２】特公平７−１０８５２８号公報
【発明の概要】
【発明が解決しようとする課題】
【０００５】
ところが、上記従来のものでは、木材の長さ方向中間部の薬剤含浸量を満たすことができるものの、木材の長さ方向の全体に切り込みが形成されて薬剤が含浸されるので、長さ方向端部では木口面からの含浸と切り込みからの含浸とによって含浸量が過剰となり、コストアップするだけでなく、過剰なインサイジングにより木材の反り、強度の低下、劣化等を招く原因が生じる。
【０００６】
また、特許文献１及び特許文献２に示されるものでは、木材の繊維と平行な方向に切り込みが形成されるので、薬剤が切り込みから繊維に沿って含浸される範囲が狭く、薬剤を十分に含浸させるには、多数の切り込みを短い間隔（スパン）を空けて形成する必要があり、めくれや反りの発生、強度の低下、劣化等を招来することとなる。
【０００７】
本発明は斯かる諸点に鑑みてなされたものであり、その目的は、インサイジング処理木材の構造に改良を加えることにより、その長さ方向中間部のみに不足しない量の薬剤を含浸させるとともに、その含浸に必要な切り込みの間隔を長くして切り込みの数を少なくし、めくれや反りの発生、強度の低下、劣化等を防ぐことにある。
【課題を解決するための手段】
【０００８】
上記の目的を達成すべく、この発明では、木材の長さ方向中間部の片面に、木材の繊維方向と交差して繊維を切断した複数の繊維切断部（切り込み）を、木材を長さ方向から見たときに繊維切断部のない部分が生じないように形成し、この繊維切断部から薬剤を繊維方向に沿って含浸させるようにした。
【０００９】
具体的には、第１の発明は、繊維が長さ方向に沿って延びるように配置されかつ薬剤の含浸により形成された薬剤含浸層を有するインサイジング処理木材として、木材の長さ方向中間部には、薬剤が長さ方向両端部のみから含浸された場合に該長さ方向両端部よりも薬剤の含浸量が相対的に少ない薬剤含浸量低下部が形成されており、その薬剤含浸量低下部の少なくとも片面には、少なくとも木材の幅方向両端部近傍を除く範囲の全体に亘り、木材の幅よりも短い長さを有しかつ木材の繊維方向（長さ方向）に交差する方向に延びて繊維を部分的に切断した凹陥溝状の複数の繊維切断部が、木材を長さ方向から見たときに該繊維切断部のない部分が生じないように形成され、上記薬剤含浸層は、木材の長さ方向両端部から含浸された薬剤により形成されかつ木材の長さ方向両端部近くに位置する端部含浸層と、上記各繊維切断部を始点として木材の長さ方向両側に繊維方向に沿って含浸された薬剤により形成され、各繊維切断部から木材の繊維方向に沿って薬剤含浸量低下部の少なくとも片面側全体に広がる切断部含浸層とを有することを特徴とする。
【００１０】
この第１の発明では、木材の長さ方向中間部に、薬剤が長さ方向両端部のみから含浸された場合に該長さ方向両端部よりも薬剤の含浸量が相対的に少ない薬剤含浸量低下部が形成され、その薬剤含浸量低下部の少なくとも片面に、木材の繊維方向に交差する方向に延びる複数の繊維切断部が形成され、これら繊維切断部は、少なくとも木材の幅方向両端部近傍を除く範囲の全体に亘り、木材を長さ方向から見たときに繊維切断部のない部分が生じないように形成されているので、木材に対する減圧加圧含浸法等による薬剤の含浸により、木材の長さ方向両端部近くに、木材の長さ方向両端部から含浸された薬剤により端部含浸層が形成され、一方、繊維切断部の周りに、繊維切断部から繊維方向に沿って含浸された薬剤により繊維切断部から木材の繊維方向に沿って薬剤含浸量低下部の少なくとも片面側全体に広がる切断部含浸層が形成される。尚、木材の幅方向両端部近傍には木材の幅方向両端面からも薬剤が繊維方向と交差する方向に含浸されるので、複数の繊維切断部は、少なくとも木材の幅方向両端部近傍を除く範囲の全体に形成されていればよい。
【００１１】
このように木材の長さ方向中間部の薬剤含浸量低下部の片面に複数の繊維切断部が形成され、その繊維切断部から繊維方向に沿って含浸された薬剤により切断部含浸層が形成されているので、木材の長さ方向中間部の薬剤含浸量低下部のみに不足しない量の薬剤を含浸させることができ、薬剤の過剰な含浸を抑えて木材の反り、強度の低下、劣化等を防ぐことができる。
【００１２】
また、切断部含浸層では、薬剤が繊維切断部から繊維方向に沿って含浸されることで、その繊維方向に沿って含浸される含浸範囲が広くなり、複数の繊維切断部が繊維方向に長い間隔を空けて形成されていても薬剤を十分に含浸させることができ、その分、繊維切断部の数が少なくなって、めくれや反りの発生、強度の低下、劣化等が生じるのを抑えることができる。
【００１３】
第２の発明は、第１の発明において、複数の繊維切断部は、木材の幅方向全体に亘って形成されていることを特徴とする。
【００１４】
この第２の発明では、複数の繊維切断部は、木材の幅方向全体に亘り形成されているので、木材の幅方向両端部近傍には、木材の幅方向両端面から薬剤が含浸されるとともに、繊維切断部からも薬剤が含浸される。換言すれば、木材の幅方向全体に亘り繊維切断部によって切断部含浸層（薬剤含浸層）を形成することができる。
【００１５】
第３の発明は、第１又は第２の発明において、木材は板材であり、板材の表面又は表裏面に複数の繊維切断部が形成されていることを特徴とする。
【００１６】
この第３の発明では、板材の表面又は表裏面に複数の繊維切断部が形成されているので、板材の長さ方向中間部の薬剤含浸量低下部のみに不足しない量の薬剤を含浸させることができる。
【００１７】
第４の発明は、第１又は第２の発明において、木材は角材であり、角材の四周表面に複数の繊維切断部が形成されていることを特徴とする。
【００１８】
この第４の発明では、角材の四周表面に繊維切断部が形成されているので、角材の長さ方向中間部の薬剤含浸量低下部のみに四周表面から不足しない量の薬剤を含浸させることができる。
【００１９】
第５の発明は、第１〜第４の発明のいずれか１つにおいて、薬剤は難燃薬剤であり、薬剤含浸量低下部は、不燃材の長さ当たりの量の足りない部分であることを特徴とする。
【００２０】
この第５の発明では、薬剤含浸量低下部が、不燃材の長さ当たりの量の足りない部分であり、この部分に複数の繊維切断部が形成されて、それら繊維切断部から難燃薬剤が繊維方向に沿って含浸されているので、難燃薬剤を不燃材の長さ当たりの量の足りない部分に足りるように含浸させることができる。
【００２１】
第６の発明は、第１〜第４の発明のいずれか１つにおいて、薬剤は防腐・防蟻薬剤であることを特徴とする。
【００２２】
この第６の発明では、薬剤含浸量低下部に複数の繊維切断部が形成されて、それら繊維切断部から防腐・防蟻薬剤が繊維方向に沿って含浸されているので、防腐・防蟻薬剤を薬剤含浸量低下部に足りるように含浸させることができる。
【００２３】
第７の発明は、第１〜第４の発明のいずれか１つにおいて、薬剤は樹脂液であることを特徴とする。
【００２４】
この第７の発明では、薬剤含浸量低下部に複数の繊維切断部が形成されて、それら繊維切断部から薬剤としての樹脂液が繊維方向に沿って含浸されているので、樹脂液を薬剤含浸量低下部に足りるように含浸させることができる。
【００２５】
第８の発明は、第１〜第７の発明のいずれか１つのインサイジング処理木材の繊維切断部を形成するためのインサイジング処理加工装置であって、昇降可能な昇降フレームと、この昇降フレームに回転可能に支持された少なくとも１つの回転軸と、この回転軸に回転一体に固定された少なくとも１つのチップソーと、上記回転軸に駆動連結され、上記チップソーを回転させる駆動部と、上記昇降フレームを昇降させる昇降装置とを備え、この昇降装置により昇降フレームが下降したときに、駆動部により回転するチップソーにより木材に繊維切断部を形成するように構成されていることを特徴とする。
【００２６】
この第８の発明では、駆動部による回転軸の駆動回転により、その回転軸に固定されたチップソーが回転し、その回転状態で昇降フレームが昇降装置によりチップソーと共に下降移動して、チップソーが木材の片面にチップソーを通る平面が木材の繊維方向と交差するように押し当てられることで、円弧状凹部からなる繊維切断部が形成される。そして、この動作を木材の片面の異なる位置で繰り返すことにより、木材の片面に複数の繊維切断部が、木材を長さ方向から見たときに繊維切断部のない部分が生じないように形成される。このことで、インサイジング処理木材の繊維切断部を容易に形成することができる。
【００２７】
第９の発明は、第８の発明において、昇降フレームに複数の回転軸が互いに平行に配置されて支持され、その各回転軸に複数のチップソーが互いに間隔を空けた状態で回転一体に固定されており、隣り合う回転軸のチップソーが上方から見た平面視で千鳥配列に配置されていることを特徴とする。
【００２８】
この第９の発明では、互いに平行な複数の回転軸の各々に複数のチップソーが互いに間隔を空けた状態で固定されているので、チップソーの回転状態で昇降フレームが下降移動して、各チップソーが木材の片面にチップソーを通る平面が木材の繊維方向と交差するように押し当てられると、円弧状凹部からなる複数の繊維切断部が平面視で千鳥配列に並んだ状態で、つまり木材を長さ方向から見たときに繊維切断部のない部分が生じないように同時に形成される。このことで、インサイジング処理木材の繊維切断部をさらに容易に形成することができる。
【００２９】
第１０の発明は、第１〜第７の発明のいずれか１つのインサイジング処理木材を得るためのインサイジング処理方法であって、木材の長さ方向中間部における薬剤含浸量低下部の少なくとも片面に、木材の繊維方向（長さ方向）に交差する方向に延びる凹陥溝状の複数の繊維切断部を、木材を長さ方向から見たときに繊維切断部のない部分が生じないように形成し、次いで、薬剤を長さ方向両端部から含浸させて端部含浸層を形成するとともに、薬剤を、上記繊維切断部を始点として木材の長さ方向両側に繊維方向に沿って含浸させて切断部含浸層を形成することを特徴とする。
【００３０】
この第１０の発明では、木材の長さ方向中間部における薬剤含浸量低下部の少なくとも片面に、木材の繊維方向（長さ方向）に交差する方向に延びる凹陥溝状の複数の繊維切断部が、木材を長さ方向から見たときに繊維切断部のない部分が生じないように形成され、その後、薬剤が長さ方向両端部から含浸されて端部含浸層が形成され、薬剤が繊維切断部を始点として繊維方向に沿って含浸されて切断部含浸層が形成される。この発明でも第１の発明と同様の作用効果が得られる。
【発明の効果】
【００３１】
以上説明した如く、本発明によると、木材の長さ方向中間部における薬剤含浸量低下部の少なくとも片面に、木材の繊維方向に交差する方向に延びる複数の繊維切断部を、木材を長さ方向から見たときに繊維切断部のない部分が生じないように形成し、木材の長さ方向両端部から含浸された薬剤により形成された端部含浸層と、繊維切断部を始点として繊維方向に沿って含浸された薬剤により形成された切断部含浸層とを設けたことにより、木材の長さ方向中間部の薬剤含浸量低下部のみに不足しない量の薬剤を含浸させ、薬剤の過剰な含浸を抑えて木材の反り、強度の低下、劣化等を防ぐことができる。また、薬剤が繊維切断部から繊維方向に沿って含浸されるので、その含浸範囲が広くなり、繊維切断部の数を少なくしてめくれや反りの発生、強度の低下、劣化等が生じるのを抑えることができる。
【図面の簡単な説明】
【００３２】
【図１】図１は、本発明の実施形態に係るインサイジング処理木材の平面図である。
【図２】図２は、図１のII−II線断面図である。
【図３】図３は、図１のIII−III線断面図である。
【図４】図４は、インサイジング処理木材の変形例を示す図１相当図である。
【図５】図５は、インサイジング処理木材表面の表面に形成される繊維切断部のパターンを示す図である。
【図６】図６は、インサイジング処理加工装置を模式的に示す斜視図である。
【図７】図７は、長さ方向の端部のみから薬剤を含浸させた場合のインサイジング処理木材の平面図である。
【図８】図８は、図７のVIII−VIII線断面図である。
【図９】図９は、図７のIX−IX線断面図である。
【図１０】図１０は、長さ方向の端部のみから薬剤を含浸させた場合のインサイジング処理木材の薬剤の含浸量の分布を例示する図である。
【発明を実施するための形態】
【００３３】
以下、本発明の実施形態を図面に基づいて詳細に説明する。以下の実施形態の説明は、本質的に例示に過ぎず、本発明、その適用物或いはその用途を制限することを意図するものでは全くない。
【００３４】
図１〜図３は本発明の実施形態に係るインサイジング処理木材１を示す。この木材１は、導管を含む繊維が長さ方向（図１及び図２で左右方向）に沿って延びるように配置された板材であり、その内部には、例えば減圧加圧含浸法等により含浸された薬剤によって薬剤含浸層１０が形成されている。減圧加圧含浸法とは、木材１を予め減圧状態にしてから薬剤を含浸させ、その後さらに加圧することで効率良く薬剤を注入する方法である。
【００３５】
木材１としては、例えば杉、桧、松等が用いられる。
【００３６】
木材１の長さ方向中間部には、減圧加圧含浸法等により仮に薬剤が長さ方向両端部のみから含浸された場合に該長さ方向両端部よりも薬剤の含浸量が少ない薬剤含浸量低下部３が形成されている。
【００３７】
この薬剤含浸量低下部３について説明すると、図７〜図９は、減圧加圧含浸法等により薬剤が長さ方向両端部のみから含浸された場合の木材１０１を示しており、木材１０１の長さ方向の両端部から注入された薬剤は繊維方向（長さ方向）に沿って含浸されるので、長さ方向中央部に向かうように含浸されるが、図１０に一例を示すように、その長さ方向中央部に向かうに連れて次第に含浸量が低くなり、長さ方向中央部では最も低くなる。尚、図７〜図９では薬剤の含浸量を点の密度で表しており、点の密度が濃いほど含浸量が多くなっている。また、薬剤の含浸量は、図７〜図９では便宜上段階的に変化するように記載しているが、実際には図１０に示すように徐々に変化している。
【００３８】
そして、木材１０１の長さ方向中央部を含む中間部は、両端部よりも薬剤の含浸量が相対的に少なくなっており、この両端部よりも薬剤含浸量の相対的に少ない部分に薬剤含浸量低下部３が形成されている。具体的には、木材１０１の長さ方向両端部に基準を満たす量の薬剤が含浸されている場合に、薬剤含浸量低下部３は、木材１０１の長さ方向中間部にあって基準未満の量の薬剤が含浸されている範囲を意味している。
【００３９】
尚、薬剤が繊維方向に沿って含浸されるとはいえ、幅方向の両端部及び厚さ方向の表裏面からも少しは含浸されて、薬剤含浸量低下部３を含めた四周側部に側部含浸層１３が形成される。
【００４０】
再び図１〜図３に戻って説明すると、本発明の特徴として、上記薬剤含浸量低下部３の片面である表面（図２では上面）には、木材１の幅方向両端部近傍、つまり薬剤を含浸させた場合に木材１の幅方向両端から薬剤が含浸されて形成される側部含浸層１３を除く範囲の全体に亘り、複数の凹陥溝状の繊維切断部５，５，…が形成されている。この各繊維切断部５は、後述するように例えばチップソー１９により形成された切り込みであって、長さの中央部が最も深く長さの両端に向かって次第に浅くなる幅の狭い有端溝状の凹陥部からなり、その長さ方向に沿った断面は略半円形で、底面は長さ方向に沿って円弧状に湾曲している。この各繊維切断部５の長さは木材１の幅よりも短く、望ましくは木材１の幅の１／２以下の長さとされている。また、複数の繊維切断部５，５，…は、いずれも長さ方向が木材１の長さ方向である繊維方向に直交（交差）する方向である幅方向に延びていて、この各繊維切断部５により木材１の繊維が木材１の長さ方向において部分的に切断されている。
【００４１】
そして、上記複数の繊維切断部５，５，…は、各々の長さ方向が木材１の幅方向（繊維方向と直交する方向）に沿って１列に並んで列となり、その複数の列が木材１の長さ方向に沿って互いに等間隔を空けて平行に並ぶように形成され、隣接する列の繊維切断部５，５，…同士は木材１の長さ方向から見て重ならずに幅方向にずれている。換言すれば、仮に木材１を幅方向に任意の幅の細長い複数の領域に区画したときに、各領域には常に１つ又は複数の繊維切断部５，５，…が形成されていることになる。このことで、複数の繊維切断部５，５，…は、薬剤含浸量低下部３の表面において、木材１の幅方向両端部近傍の側部含浸層１３を除く範囲の全体に亘り、木材１の上方から見た平面視で千鳥配列にかつ木材１を長さ方向から見たときに繊維切断部５，５，…のない部分が生じないように形成されている。
【００４２】
さらに、木材１は減圧加圧含浸法等によって薬剤が木材１の長さ方向端部から繊維方向に沿って含浸されるとともに、各繊維切断部５から木材１の内部に繊維方向に沿って繊維切断部５の両側に含浸されており、このことで、木材１の薬剤含浸層１０は、木材１の長さ方向両端部近くに位置していて、その木材１の長さ方向両端部から含浸された薬剤により形成された端部含浸層１１，１１と、表面の各繊維切断部５近くに位置していて、その繊維切断部５を始点として図１及び図２で矢印にて示すように木材１の長さ方向両側に繊維方向に沿って含浸された薬剤により形成され、各繊維切断部５から木材１の繊維方向に沿って薬剤含浸量低下部３の表面側全体に広がる切断部含浸層１２と、木材１の幅方向両端面及び裏面から薬剤が含浸された側部含浸層１３とを有する。尚、図１〜図３でも薬剤の含浸量を点で表している（後述する図４及び図５も同様である）。
【００４３】
上記薬剤としては、例えば難燃薬剤が挙げられる。難燃薬剤は、ホウ酸系やリン酸系等の薬剤であり、木材１における薬剤含浸量低下部３が、不燃材の長さ当たりの量の足りない部分であると、この薬剤含浸量低下部３に繊維切断部５，５，…を形成することにより、端部含浸層１１，１１と共に切断部含浸層１２を設け、難燃薬剤を不燃材の長さ当たりの量の足りない部分に足りるように含浸させることができる。
【００４４】
そして、薬剤含浸層における端部含浸層１１，１１及び切断部含浸層１２は、例えば難燃薬剤の含浸量が３００ｋｇ／ｍ３以上であるものとすることで、耐火性木材が得られ、難燃薬剤を木材１に注入した不燃材の認定を容易に得ることができる。
【００４５】
また、薬剤は防腐・防蟻薬剤や樹脂液等であってもよい。防腐・防蟻薬剤の場合、その防腐・防蟻薬剤を薬剤含浸量低下部３に足りるように含浸させることができる。また、樹脂液の場合、その樹脂液を薬剤含浸量低下部３に足りるように含浸させることができる。この樹脂液は、例えば木材１の硬さを調整するため等に含浸される。
【００４６】
図６は、上記インサイジング処理木材１の表面に繊維切断部５，５，…を形成するためのインサイジング処理加工装置１５を概略模式的に示す。このインサイジング処理加工装置１５は、木材１を載置支持する載置台１６と、この載置台１６の上方に配置された複数（例えば６つ）の昇降可能な昇降フレーム（図示せず）とを備え、この各昇降フレームには回転軸１８が回転可能に支持され、複数の昇降フレームに支持された複数の回転軸１８，１８，…は互いに平行に延びるように配置されている。各回転軸１８には、複数（図示例では４つ）の小径のチップソー１９，１９，…（又は丸鋸）が互いに所定の間隔を空けて回転一体に固定され、隣り合う回転軸１８，１８のチップソー１９，１９，…は上方から見た平面視で、上記木材１表面の繊維切断部５，５，…と同様に千鳥配列に配置されている。各回転軸１８の一端部にはチップソー１９，１９，…を回転させる駆動部としての電動モータ２１が伝動ギヤ機構２０を介して駆動連結されており、モータ２１の駆動による各回転軸１８の回転により複数のチップソー１９，１９，…が同時に回転するようになっている。
【００４７】
そして、上記各昇降フレーム及び各電動モータ２１はそれらを昇降させるエアシリンダ等の昇降装置２３に連結されており、この昇降装置２３により昇降フレームを回転軸１８及びチップソー１９，１９，…と共に昇降させ、昇降フレームが下降したときに、モータ２１により回転する複数のチップソー１９，１９，…により木材１の表面に切り込みを入れて繊維切断部５，５，…を形成するように構成されている。尚、インサイジング処理加工装置１５は、載置台１６上に載置支持された木材１の長さ方向の両端部を押さえて固定するための押え部材２５，２５を備えている。
【００４８】
次に、インサイジング処理加工装置１５を用いてインサイジング処理木材１を得るためのインサイジング処理方法について説明する。
【００４９】
まず、インサイジング処理加工装置１５の昇降装置２３により昇降フレームを上昇させて、載置台１６に木材１をその長さ方向が各回転軸１８に沿うように載置して押え部材２５，２５により固定する。その状態で各電動モータ２１により回転軸１８，１８，…を駆動して各回転軸１８上の複数のチップソー１９，１９，…を回転させ、そのチップソー１９，１９，…の回転状態で昇降装置２３により昇降フレームを下降させて各チップソー１９を木材１の長さ方向中間部における薬剤含浸量低下部３の表面に押し当て、その表面にチップソー１９による切り込みを入れて、木材１の繊維方向（長さ方向）に直交する方向に延びる円弧状凹部からなる複数の繊維切断部５，５，…を形成する。
【００５０】
このとき、回転軸１８，１８，…上に固定されているチップソー１９，１９，…が千鳥配列に固定されていることで、複数の繊維切断部５，５，…を木材１を長さ方向から見たときに繊維切断部５，５，…のない部分が生じないように形成する。すなわち、互いに平行な複数の回転軸１８，１８，…の各々に複数のチップソー１９，１９，…が互いに間隔を空けた状態で固定されているので、チップソー１９，１９，…の回転状態で昇降フレームが下降移動して、各チップソー１９が木材１の表面にチップソー１９を通る平面が木材１の繊維方向と交差するように押し当てられると、円弧状凹部からなる複数の繊維切断部５，５，…が平面視で千鳥配列に並んだ状態で、つまり木材１を長さ方向から見たときに繊維切断部５，５，…のない部分が生じないように同時に形成される。このことで、インサイジング処理木材１の繊維切断部５，５，…を容易に形成することができる。
【００５１】
このように木材１における長さ方向中間部の薬剤含浸量低下部３の表面に複数の繊維切断部５，５，…を形成した後、木材１を例えば薬剤処理槽（図示せず）内に投入し、その内部で、減圧加圧含浸法等により薬剤を長さ方向両端部から含浸させて端部含浸層１１，１１を形成するとともに、薬剤を繊維切断部５，５，…を始点として木材１の長さ方向両側に繊維方向に沿って含浸させて切断部含浸層１２を形成する。このことで、上記インサイジング処理木材１が得られる。
【００５２】
したがって、上記実施形態においては、木材１における長さ方向中間部の薬剤含浸量低下部３の表面に、木材１の繊維方向に交差する方向に延びて繊維を部分的に切断した複数の繊維切断部５，５，…が形成され、これら繊維切断部５，５，…は、木材１の幅方向両端部近傍を除く範囲の全体に亘り木材１を長さ方向から見たときに繊維切断部５，５，…のない部分が生じないように形成されている。そのため、木材１に対し減圧加圧含浸法等による薬剤を含浸させたとき、木材１の長さ方向両端部近くに、木材１の長さ方向両端部から含浸された薬剤により端部含浸層１１，１１が形成されるだけでなく、各繊維切断部５の周りに、その繊維切断部５から両側に繊維方向に沿って含浸された薬剤により繊維切断部５から木材１の繊維方向に沿って薬剤含浸量低下部３の表面側全体に広がる切断部含浸層１２が形成される。
【００５３】
そのとき、木材１の幅方向両端部近傍には、木材１の幅方向両端面から繊維方向と交差する方向に含浸された薬剤により側部含浸層１３が形成される。このため、複数の繊維切断部５，５，…は、少なくとも木材１の幅方向両端部近傍を除く範囲の全体に形成されていればよい。
【００５４】
このように木材１の長さ方向中間部の薬剤含浸量低下部３の表面に複数の繊維切断部５，５，…が形成され、その繊維切断部５，５，…から繊維方向に沿って含浸された薬剤により切断部含浸層１２が形成されているので、木材１の長さ方向中間部の薬剤含浸量低下部３に対してのみ、その部分で不足しない量の薬剤が含浸され、薬剤の過剰な含浸を抑えて木材１の反り、強度の低下、劣化等を防ぐことができる。
【００５５】
また、繊維切断部５周りの切断部含浸層１２では、薬剤が繊維切断部５から木材１の長さ方向両側に繊維方向に沿って含浸されることで、その繊維方向に沿って含浸される含浸範囲が広くなり、複数の繊維切断部５，５，…が繊維方向に長い間隔を空けて形成されていても薬剤を十分に含浸させることができ、その分、繊維切断部５，５，…の数を少なくして、めくれや反りの発生、強度の低下、劣化等が生じるのを抑えることができる。
【００５６】
（変形例）
上記実施形態では、薬剤含浸量低下部３の表面において、木材１の幅方向両端部近傍、つまり薬剤を含浸させた場合に木材１の幅方向両端から薬剤が含浸されて形成される側部含浸層１３を除く範囲の全体に亘り繊維切断部５，５，…を形成しているが、図４に示すように、複数の繊維切断部５，５，…は、薬剤含浸量低下部３の表面において、木材１の幅方向全体に亘り木材１を長さ方向から見たときに繊維切断部５，５，…のない部分が生じないように形成してもよい。
【００５７】
こうすれば、複数の繊維切断部５，５，…は、木材１の幅方向全体に亘り形成されているので、木材１の幅方向両端部近傍には、木材１の幅方向両端面から薬剤が含浸されるとともに、繊維切断部５，５，…からも薬剤が含浸される。換言すれば、木材１の幅方向全体に亘り繊維切断部５，５，…によって切断部含浸層１２を形成することができる。
【００５８】
（その他の実施形態）
本発明は、上記各実施形態に限定されず、種々の他の実施形態を包含している。例えば、上記実施形態では、繊維切断部５，５，…の複数の列が木材１の長さ方向に沿って互いに等間隔を空けて並ぶように形成されているが、図５（ａ）に示すように、繊維切断部５，５，…の複数の列間の間隔を異ならせてもよい。或いは、図５（ｂ）に示すように、複数の繊維切断部５，５，…は、いずれも長さ方向が木材１の長さ方向である繊維方向に斜めに交差する方向に延びるように配置し、繊維切断部５，５，…の複数の列が互いに等間隔を空けて並ぶように形成してもよく、その場合に、図５（ｃ）に示すように、繊維切断部５，５，…の複数の列間の間隔を異ならせることもできる。
【００５９】
また、上記実施形態では、木材１の表面に複数の繊維切断部５，５，…を設けて、その木材１表面に切断部含浸層１２を形成しているが、木材１の表裏面の双方に複数の繊維切断部５，５，…を形成して、その表裏面に切断部含浸層１２を形成するようにしてもよい。
【００６０】
また、木材１は板材に代えて角材とし、その角材の四周表面に複数の繊維切断部５，５，…を形成するようにしてもよい。こうすれば、角材の四周表面に繊維切断部５，５，…が形成されているので、角材の長さ方向中間部の薬剤含浸量低下部３のみに四周表面から不足しない量の薬剤を含浸させることができる。
【００６１】
また、上記実施形態では、インサイジング処理加工装置１５の回転軸１８及びチップソー１９をそれぞれ複数設けているが、回転軸１８又はチップソー１９を１つとしてもよい。その場合、チップソー１９による木材１の切り込み位置をずらすように変化させることで、複数の繊維切断部５，５，…を千鳥配列に形成することができる。しかし、切り込み位置をずらす手間が掛かるので、多数の繊維切断部５，５，…を同時に形成するためには、上記実施形態のように、複数本の回転軸１８，１８，…の各々に複数のチップソー１９，１９，…を固定するのが好ましい。
【００６２】
また、繊維切断部５はチップソー１９，１９，…以外で形成することができ、その形状も半円形状に限らず、有端溝状であればよい。
【産業上の利用可能性】
【００６３】
本発明は、インサイジング処理木材において有用であり、産業上の利用可能性が高い。
【符号の説明】
【００６４】
１  インサイジング処理木材
３  薬剤含浸量低下部
５  繊維切断部
１０  薬剤含浸層
１１  端部含浸層
１２  切断部含浸層
１３  側部含浸層
１５  インサイジング処理加工装置
１８  回転軸
１９  チップソー
２１  電動モータ（駆動部）
２３  昇降装置
【図１】
2017080965.tif 000003
【図２】
2017080965.tif 000004
【図３】
2017080965.tif 000005
【図４】
2017080965.tif 000006
【図５】
2017080965.tif 000007
【図６】
2017080965.tif 000008
【図７】
2017080965.tif 000009
【図８】
2017080965.tif 000010
【図９】
2017080965.tif 000011
【図１０】
2017080965.tif 000012